(57)【要約】【課題】網入りガラスの内側と外側に生じる温度差を抑制していわゆる熱割れを防止することができる窓を提供する。【解決手段】窓の一例としての天窓１は、室内側に配されている室内側ガラス２ａと、室外側に配されている室外側ガラス２ｂと、室内側ガラス２ａ及び室外側ガラス２ｂを保持する金属枠３と、室外側ガラス２ｂの周辺部の室外側を覆うカバー部４とを備え、室内側ガラス２ａは、その周辺部がカバー部４の先端４ａよりも内側に位置している。【選択図】        図２
2018091097.tif 000002
【特許請求の範囲】
【請求項１】
室内側に配されている室内側ガラスと、
該室内側ガラスよりも室外側に配されている室外側ガラスと、
前記室内側ガラス及び前記室外側ガラスを保持する金属枠と、
前記室外側ガラスの周辺部の室外側を覆うカバー部とを備えた窓であって、
前記室内側ガラスは、その周辺部が前記カバー部の先端よりも内側に位置していることを特徴とする窓。
【請求項２】
前記室内側ガラスは、網入りガラスが含まれていることを特徴とする請求項１に記載の窓。
【発明の詳細な説明】
【技術分野】
【０００１】
本発明は、建物、特にビルの屋根、アトリウムに配される屋根ガラス（トップライト、スカイライト）に用いられる窓に関するものである。
【背景技術】
【０００２】
室内に光を採り入れるため、建物天井に取り付けられた窓である天窓が知られている（例えば特許文献１参照）。特許文献１のように、この天窓にペアガラスを用いて断熱性を高めて使用される例もある。天窓に合わせガラスを利用する例も知られている。
【先行技術文献】
【特許文献】
【０００３】
【特許文献１】特開２００４−８４３００号公報
【発明の概要】
【発明が解決しようとする課題】
【０００４】
しかしながら、天窓には網入りガラスが用いられる。この網入りガラスは金属網がガラスに封入されているため、長期エッジ許容応力が一般のガラスの半分程度である。天窓は太陽にさらされているため、照射された部分は高温となり膨張する。網入りガラスはその周辺部を金属枠（サッシ）で覆われていて、この金属枠内部はあまり温度が上昇しない。この温度差により網入りガラスに引張り応力が発生し、割れを生じてしまう。この割れは熱割れといわれている。
【０００５】
このような網入りガラス内の中央部と周辺部で生じる温度差は、特許文献１のような合わせガラスにしても、あるいはペアガラスにしても生じてしまうため、熱割れの対策が望まれている。
【０００６】
本発明は、上記従来技術を考慮したものであり、網入りガラスの中央部と周辺部に生じる温度差を抑制していわゆる熱割れを防止することができる天窓を提供することを目的とする。
【課題を解決するための手段】
【０００７】
前記目的を達成するため、本発明では、室内側に配されている室内側ガラスと、該室内側ガラスよりも室外側に配されている室外側ガラスと、前記室内側ガラス及び前記室外側ガラスを保持する金属枠と、前記室外側ガラスの周辺部の室外側を覆うカバー部とを備えた窓であって、前記室内側ガラスは、その周辺部が前記カバー部の先端よりも内側に位置していることを特徴とする窓を提供する。
【０００８】
好ましくは、前記室内側ガラスは、網入りガラスが含まれている。
【発明の効果】
【０００９】
本発明によれば、室内側ガラスの周辺部がカバー部の先端よりも内側に位置しているので、室内側ガラスがカバー部で覆われることはない。このため、室内側ガラスの全面は室外側から視認可能となり、日光に対して全面がさらされることになる。このため、日光が照射されることによる室内側ガラスは万遍なく温度上昇することになり、室内側ガラスの内側（中央部）と外側（周辺部）に温度差が発生することが抑制される。このため、この温度差が原因として発生する熱割れを防止することができる。特に、室内側ガラスが網入りガラスの場合、その許容応力の低さを補うことができ、熱割れの発生を好適に防止できる。
【図面の簡単な説明】
【００１０】
【図１】本発明に係る窓の概略斜視図である。
【図２】窓をペアガラスとしたときの概略断面図である。
【図３】ガラスの種類に応じた許容応力を示すデータである。
【図４】窓を合わせガラスとしたときの概略断面図である。
【発明を実施するための形態】
【００１１】
以下、本発明の窓の例として天窓を用いるが、本発明に係る窓は建物に対して水平、斜め、垂直方向のどのような角度に対しても取り付け可能な構造を有しているため、以下の例に限定されるものではない。特に本発明は、ビルの屋根ガラスに用いられる窓として好適に利用できるものである。図１に示すように、天窓１は、建物の天井部分（上側）に取り付けられる。天井が傾斜している場合はそれに沿って傾斜して取り付けられる。なお、本発明の効果は建物側面に取り付けられる窓に適用しても得ることができる。
【００１２】
天窓１はガラス板からなる窓ガラスユニット２と、この周辺部を挟持して保持する金属枠（サッシ）３で構成されている。天窓１としては１枚の窓ガラスユニット２の周囲を囲む金属枠３のみで形成された部分的な採光目的のものでもよいし、図１のように窓ガラスユニット２が間隔を存して並べて配され、その間に金属枠３が配されることで天井全体あるいは大部分を天窓で構成するようにしてもよい。なお、金属枠３は図１のように縦枠３ａと横枠３ｂとが離間していてもよいし、くっついて一体となっている構造でもよい。
【００１３】
一つの窓ガラスユニット２とこれを保持する金属枠３を表した例について以下に説明する。図２は窓ガラスユニット２をペアガラスとした場合である。窓ガラスユニット２は２枚以上の複数ガラスからなり、室内側Ａに配されている室内側ガラス２ａと、室内側ガラス２ａよりも室外側Ｂに配されている室外側ガラス２ｂとで形成されている。なお、室内側ガラス２ａは網入りガラス（ガラス内にワイヤーが配された網入り強化ガラス）、あるいは網入りガラス（ＰＨＷ）とフロートガラス（ＦＬ）、あるいは倍強度ガラス（ＨＳ）、風冷強化ガラス（ＰＴ）、化学強化ガラス（ＣＴ）との合わせガラスを用いている。一方、室外側ガラス２ｂはフロートガラス（ＦＬ）、倍強度ガラス（ＨＳ）、風冷強化ガラス（ＰＴ）、化学強化ガラス（ＣＴ）、網入りガラスの単板あるいはこれらの合わせガラスを用いている。フロートガラスは通常のソーダライムシリケートガラス（あるいはホウケイ酸ガラス等）を板状にしたものである。
【００１４】
なお、室外側ガラス２ｂや室内側ガラス２ａに用いられている網入りガラスとの合わせとして化学強化ガラス（ＣＴ）を用いてもよい。化学強化ガラスとは溶融したカリウム塩（硝酸カリウム、硫酸カリウム、重硫酸カリウム、炭酸カリウム、重炭酸カリウム、塩化カリウム等）に対してフロートガラスを浸漬させ、ガラス表面のイオン半径の小さなナトリウムイオンをより半径の大きいカリウムイオンに置換し、ガラス表面に圧縮応力層を形成したものである。この化学強化ガラスはフロートガラスに比して耐熱性、耐衝撃性に優れ、一般的な風冷強化ガラスに比しては外力が加わっていない状態で不意にガラスが割れてしまう自然破損が生じにくい。また化学強化ガラスは中央部での衝撃強度（面強度）が他のガラス（フロートガラス（ＦＬ）、網入りガラス（ＰＨＷ）、倍強度ガラス（ＨＳ）、風冷強化ガラス（ＰＴ））に比して抜群に優れている。
【００１５】
窓ガラスユニット２を形成する室内側ガラス２ａ及び室外側ガラス２ｂは金属枠３にて保持されている。室外側ガラス２ｂの２辺〜４辺の周辺部の室外側は金属枠３の一部であるカバー部４にて覆われている。すなわち、カバー部４はその先端４ａが室外側ガラス２ｂの周辺部よりも内側（中央側）に配されている。カバー部４と室外側ガラス２ｂとの間に生じている隙間はシーリング材５にて埋められる。必要に応じてバックアップ材６が配され、室外側ガラス２ｂの適切な位置決めが行われる。
【００１６】
室内側ガラス２ａは、その周辺部がカバー部４の先端４ａよりも内側（中央側）に位置している。したがって、室内側ガラス２ａはカバー部４に覆われていない。このため、室内側ガラス２ａの全面は室外側から視認可能となり、日光に対して全面がさらされることになる。このため、日光が照射されることによる室内側ガラス２ａは万遍なく温度上昇することになり、室内側ガラス２ａの内側（中央部）と外側（周縁部）に温度差が発生することが抑制される。このため、この温度差が原因として発生する熱割れを防止することができる。特に、室内側ガラス２ａには網入りガラスが含まれている（室内側ガラス２ａがペアガラスや合わせガラス等、複数のガラスで形成されている場合に一部又は全てに網入りガラスが用いられている）場合、その許容応力の低さを補うことができ、熱割れの発生を好適に防止できる。ただし、本発明は室内側ガラス２ａとして必ずしも網入りガラスが存していることを必須としているものではない。室内側ガラス２ａの中央部と周縁部とに発生する温度差はどのようなガラスにも影響を与え、熱割れが生じる原因となっている。これは、吸収率が高い熱線吸収ガラスや、着色飛散防止フィルムを貼り付けたガラスにも生じる。また、ガラスの近傍にカーテンや壁があっても熱がこもりやすく、熱割れしやすい環境が形成されている。本発明はこのような熱割れが発生する一般的な課題に対応できるものであり、後述するように室内側ガラス２ａに網入りガラスが含まれた場合にはより好ましく適用できるという位置づけである。
【００１７】
室内側ガラス２ａは金属枠３に対して室内側からガスケット７にて支持されている。また室内側ガラス２ａと室外側ガラス２ｂとの間には、周囲に隙間を埋めるための封着材８が配され、その内側に乾燥剤入りのスペーサ９が配されている。
【００１８】
本発明の好適な実施例は、室内側ガラス２ａに網入りガラスが採用された場合、そのエッジ長期許容応力が他のガラスよりも低いことに着目している（図３参照）。このような網入りガラスの応力差による熱割れの起こりやすさを低減させるため、室内側ガラス２ａの全面に万遍なく日光が当たる構造を採用している。このような課題は、室内側ガラス２ａに網入りガラスを配した天窓１を出発点とするものであり、室内側ガラス２ａに網入りガラスを配することの特有の課題といえる。
【００１９】
図４に示すように、窓ガラスユニット２は合わせガラスでもよい。この場合、室内側ガラス２ａと室外側ガラス２ｂとは中間膜１０を介して貼り合わされる。なお、中間膜１０はポリビニルブチラール（ＰＶＢ）やエチレンビニルアセテート樹脂（ＥＶＡ）、アイオノマー樹脂（ＳＧ）等が用いられる。一般的な熱可塑性樹脂、熱硬化性樹脂、紫外線硬化性樹脂等を利用可能であり、ビニル系ポリマー、エチレン−ビニル系モノマー共重合体、スチレン系共重合体、ポリウレタン樹脂、フッ素樹脂、アクリル樹脂を含んでいることが好ましい。その他の構成、作用、効果は図２の例と同様である。
【符号の説明】
【００２０】
１：天窓、２：窓ガラスユニット、２ａ：室内側ガラス、２ｂ：室外側ガラス、３：金属枠、３ａ：縦枠、３ｂ：横枠、４：カバー部、４ａ：カバー部の先端、５：シーリング材、６：バックアップ材、７：ガスケット、８：封着材、９：スペーサ、１０：中間膜、Ａ：室内側、Ｂ：室外側、Ｃ：水下、Ｄ：水上
【図１】
2018091097.tif 000003
【図２】
2018091097.tif 000004
【図３】
2018091097.tif 000005
【図４】
2018091097.tif 000006